【事件の表示】
　特許第２９８５７２３号「混合温度制御装置」の請求項１ないし３に係る特許に対する特許異議の申立てについて、次のとおり決定する。
【結　論】
　訂正を認める。
　特許第２９８５７２３号の請求項１、２、３に係る特許を取り消す。
【理　由】
　１．［手続の経緯］
　本件特許第２９８５７２３号（請求項の数６）は、平成７年４月１８日に出願された特願平７−９２０９９号の特許出願に係るもので、平成１１年１０月１日に登録された。その後、上記特許異議申立人より、請求項１、請求項２、請求項３に関して特許異議の申立てがあったので、当審において、当該申立ての理由を検討の上、平成１２年１０月６日付で、当該請求項に係る本件特許の取消理由を通知したところ、その通知書で指定した期間内の平成１２年１２月１９日に特許異議意見書と共に訂正請求書が提出されたものである。
　
　２．［訂正請求の認容と本件特許発明］
　（１）訂正内容の要旨
　上記請求に係る訂正の要旨は、次のイ、ロのとおりである。
　イ　請求項１〜３のそれぞれにおいて、「前記二つの弁座の少なくとも一方の弁座位置を可変し」という記載を、「前記二つの弁座のうち高温流体側の弁座の（弁座）位置を可変し」という記載に訂正すると共に、末尾の「弁座位置調節手段とを備えてなる混合温度制御装置。」という記載を、「弁座位置調節手段とを備えるとともに、前記可動弁体は前記感温体ばねと前記バイアスばねとの付勢力の釣り合いによって作動する混合温度制御装置。」という記載に訂正する。
  ロ  特許明細書における「発明の詳細な説明」の、上記イの訂正事項に対応する箇所（【0018】、【0019】、【0020】、【0066】、【0067】、【0068】）について、当該訂正事項と同趣旨の訂正をする。
　（２）訂正の適法性と本件特許発明の認定
　上記のとおり、特許権者が上記訂正請求書によって求める訂正事項は、請求項１〜３に関する特許請求の範囲の減縮と、当該減縮に関連した、明瞭でない記載の釈明とを目的として、特許明細書又は図面に記載された事項の範囲内で訂正しようとするものであり、しかも、実質上、特許請求の範囲を拡張又は変更するものではないから、特許法第１２０条の４第２項及び第３項に規定する要件を満たしている。
　したがって、上記訂正請求を認容して、訂正請求書に添付された訂正明細書を本件特許明細書とし、特許異議申立てに係る本件特許発明は、当該特許明細書における、特許請求の範囲の請求項１〜３に記載された事項によってそれぞれ特定される次のとおりのものと認める。
　【請求項１】「高温流体と低温流体の混合比を調節する可動弁体と、前記可動弁体とそれぞれ対向して設けた高温流体側弁座および低温流体側弁座と、前記混合流体の温度上昇に伴い高温流体の割合を減少させる方向に前記可動弁体を付勢する感温体ばねと、前記可動弁体を反対方向に付勢するバイアスばねと、前記二つのばねの少なくとも一方の付勢力を可変し混合温度を調節する付勢力調節手段と、前記二つの弁座のうち高温流体側の弁座の位置を可変し前記流体の流量を調節する弁座位置調節手段とを備えるとともに、前記可動弁体は前記感温体ばねと前記バイアスばねとの付勢力の釣り合いによって作動する混合温度制御装置。」（上記の請求項１に係る発明を、以下、「本件発明」という）
　【請求項２】「高温流体と低温流体の混合比を調節する可動弁体と、前記可動弁体とそれぞれ対向して設けた高温流体側弁座および低温流体側弁座と、前記混合流体の温度上昇に伴い高温流体の割合を減少させる方向に前記可動弁体を付勢する感温体ばねと、前記可動弁体を反対方向に付勢するバイアスばねと、前記二つのばねの少なくとも一方の付勢力を可変し混合温度を調節する付勢力調節手段と、前記感温体ばねのせん断ひずみγを規制するせん断ひずみ規制手段と、前記二つの弁座のうち高温流体側の弁座の位置を可変し前記流体の流量を調節する弁座位置調節手段とを備えるとともに、前記可動弁体は前記感温体ばねと前記バイアスばねとの付勢力の釣り合いによって作動する混合温度制御装置。」
　【請求項３】「高温流体と低温流体の混合比を調節する可動弁体と、前記可動弁体とそれぞれ対向して設けた高温流体側弁座および低温流体側弁座と、保存・使用温度範囲においてＲ(Rhombohedral)相ないし母相の相変態をする形状記憶合金からなり、前記混合流体の温度上昇に伴い高温流体の割合を減少させる方向に前記可動弁体を付勢する感温体ばねと、前記可動弁体を反対方向に付勢するバイアスばねと、前記二つのばねの少なくとも一方の付勢力を可変し混合温度を調節する付勢力調節手段と、前記二つの弁座のうち高温流体側の弁座の弁座位置を可変し前記流体の流量を調節する弁座位置調節手段とを備えるとともに、前記可動弁体は前記感温体ばねと前記バイアスばねとの付勢力の釣り合いによって作動する混合温度制御装置。」
　
　３．［引用例とその記載事項の概要］
　上記取消理由において引用した、いずれも、本件特許に係る出願日より前に頒布された刊行物は、次のとおりである。
　刊行物１：特開昭６１−２９４２８２号公報（甲第１号証）
　刊行物２：国際公開公報ＷＯ９４／１５１２９（甲第３号証）
　刊行物３：（財団法人）大阪科学技術センター形状記憶合金用途開発委員会編「形状記憶合金とその使い方」（昭和６２年６月２３日　日刊工業新聞社、甲第４号証）
　刊行物４：実公昭６１−４４０６２号公報
　（１）上記刊行物１（甲第１号証）には、「サーモスタット式の湯水混合栓」に関して、次の記載がある。
「発明の構成
　この発明の基本的な構成は、・・・感温体を備えた感温体ケース及び温度調節機構に内装してなるバルブ本体において、・・・別に設けたレバーハンドルをその雌セレーション部を介して軸方向に接続して前記ライナーを軸方向の進退運動自在に連携させた操作機構を設けることにより、ライナーを介して湯と水の流量を瞬間的に調節できるようにしたものである。」（第２頁左下欄第３〜２０行）
「・・・ライナー１１は・・・他端に設けた水側弁座１４と、前記バルブ本体１端面に着脱自在に取付けたプラグ３７との間に制御弁体１８を介在させ、この制御弁体１８は・・・湯側弁座１３及び水側弁座１４に対応するように・・・摺動自在に介在させ」（第３頁左上欄第５〜１９行）
「発明の作用
　いま、プラグ３７及び制御弁体１８の向合った対応関係が第１図の位置にあるとき、熱湯は・・・ライナー１１周面の湯入口５からプラグ３７及び制御弁体１８の間の隙間を経て・・・感温体ケース３３の流路４６に達し、・・・感温体３０の表面を浸しながら出口３１側へ移動して・・・混合水ジャケット３と通じている吐出管３８から熱湯を放出する。この熱湯供給中に、・・・感温体３０と一体の感温体ケース３３が・・・移動し、・・・制御弁体１８を同一方向へ押圧する。したがって制御弁体１８とプラグ３７との間隔が適宜に狭められ、反対側の制御弁体１８と感温体ケース３３の弁口１２との間隔が広げられるので、・・・冷水が水入口６から弁口１２に進出し、・・・感温体ケース３３の流路４６を通過する間に、・・・感温体３０は冷水流入による温度低下を敏速に関知して前記と反対方向へ迅速に応動し、制御弁体１８とプラグ３７との間隔を自動的に調整して適温の温湯を吐出管３８から供給する。この温度調整中の感温体３０は、・・・スプリング２０、２２の弾力的均衡により作動する・・・さらに微調整を必要とするときは、ハンドル４２操作して・・・スプリング２０を圧縮し、・・・該感温体３０の作動範囲を縮小して微調整を行う。
次に、湯水の使用を減量するためにレバーハンドル３６を・・・操作し、・・・ライナー１１を湯側弁座１３側へ加圧して湯入口５及び水入口６を狭隘にした場合に、・・・設定温度を安定的に維持できる。・・・
なお、湯水を停止するにはレバーハンドル３６をねじ込み方向へ操作すれば・・・ライナー１１を制御弁体１８側へ押付けるので、・・・止水されて待機する。」（第３頁左下欄第１０行〜第４頁左下欄第６行）
　（２）上記刊行物２（甲第３号証）には、次のイ〜ハの事項が開示されている。
　イ　湯水混合装置における温度調節のための「可動弁体１６０」を「感温ばね１３０」と「バイアスばね１５０」により付勢すること（第２１頁下から７行〜第２４頁第４行、第１、３図）、
　ロ　感温ばね１３０の歪ｒが線径ｄ、ストロークＳＴ、コイル巻き数ｎ、感温ばねの中心径Ｄで決まることと、耐用年数を高めるには、歪が１．２％、あるいは０．８％以下とすべきこと（第２７頁第１１行?第２８頁下から２行目）
　ハ　可動弁座１６０の移動範囲が、水側弁座部材７０に規制され、結果として、感温ばね１３０のせん断ひずみ規制手段が構成されていること（第１、３図）
　（３）上記刊行物３（甲第４号証）には、形状記憶合金の利用に関して、目的とするヒステリシス曲線を得るには「使用温度範囲」を考慮すべきことや、「繰り返し寿命特性と相変態の関係」について、「Ｒ相変態のみを利用した場合には、利用ひずみ範囲が小さいこともあって、４０万回でも実用上の劣化は少ない」ことが指摘されている。（第３４頁第１行〜第３５頁下から５行目参照）
　
　４．［発明の対比］
　本件発明と、刊行物１記載のものとを対比すると、刊行物１記載の「制御弁体１８」は、本件発明の「高温流体と低温流体の混合比を調節する可動弁体」に相当するし、以下同様に、「湯側弁座１３及び水側弁座１４」は「高温流体側弁座および低温流体側弁座」に、「スプリング２０を圧縮し」「微調整を行う」「ハンドル４２」は、「一方の付勢力を可変し混合温度を調節する付勢力調節手段」に、「スプリング２２」は「可動弁体を反対方向に付勢するバイアスばね」に、「湯水の使用を減量するために」「ライナー１１を湯側弁座１３側へ加圧して湯入口５及び水入口６を狭隘に」する「レバーハンドル３６」は、「流量を調節する弁座位置調節手段」に、「湯水混合栓」は「混合温度制御装置」に、それぞれ相当している。そして、刊行物１記載の「感温体３０及びスプリング２０」は、本件発明における「感温体ばね」と同様に、「混合流体の温度上昇に伴い高温流体の割合を減少させる方向に前記可動弁体を付勢する」手段といえるものであって、スプリング２２の「弾力的均衡により作動する」とされるところから、「バイアスばねとの付勢力の釣り合いによって作動する」ものである。
　したがって、本件発明と刊行物１記載の発明との一致点と相違点は次のとおりである。
　＜一致点＞「高温流体と低温流体の混合比を調節する可動弁体と、前記可動弁体とそれぞれ対向して設けた高温流体側弁座および低温流体側弁座と、前記混合流体の温度上昇に伴い高温流体の割合を減少させる方向に前記可動弁体を付勢する手段と、前記可動弁体を反対方向に付勢するバイアスばねと、前記二つの付勢手段のうち少なくとも一方の付勢力を可変し混合温度を調節する付勢力調節手段と、前記二つの弁座のうち一方の弁座位置を可変し前記流体の流量を調節する弁座位置調節手段とを備えるとともに、前記可動弁体は、前記高温流体の割合を減少させる方向に前記可動弁体を付勢する手段と前記バイアスばねとの付勢力の釣り合いによって作動する混合温度制御装置」である点。
　＜相違点１＞　混合流体の温度上昇に伴い高温流体の割合を減少させる方向に前記可動弁体を付勢する手段が、本件発明では「感温体ばね」で構成されるのに対し、刊行物１記載の発明では「感温体３０及びスプリング２０」で構成される点。
　＜相違点２＞　流体の流量を調節する弁座位置調節手段が、本件発明では「高温流体側の弁座」の位置を可変とするものであるのに対し、刊行物１記載の発明では、低温流体側の弁座（ライナー１１先端の水側弁座１４）の位置を可変としている点。
　
　５．［相違点の検討］                      
　（１）＜相違点１＞について
　刊行物２には、高温流体の割合を減少させる方向に可動弁体を付勢する手段としての「感温体ばね」が開示されている。そして、刊行物２で先行技術文献として挙げている実公昭６１−４４０６２号公報（刊行物４）では、刊行物１記載のような「感温体」（「温度変化に敏感に反応して容積が変化する液体」等を封入した「エレメント」）には、「高度の軸封処理や、感度を向上させる為の容器の表面加工など、その製作面に難点」があること、このような難点を回避するためには「コイル状に成形した形状記憶合金」の採用が有効であることが指摘されている（同公報第１頁第１欄第１７行〜同第２欄第２６行参照）。
　そうすると、このような刊行物４記載の指摘に基づいて、上記刊行物１記載の「感温体３０及びスプリング２０」で構成されるものに代えて、刊行物２記載の「感温体ばね」を採用して、本件発明のように構成することは格別困難とはいえない。
　（２）＜相違点２＞について
　刊行物１に開示されている弁座位置調節手段は、低温流体側の弁座位置を調節するものであるが、これに代えて、高温流体側の弁座位置を調節するものとしても、流体の流量調節を同様に実現できることは、当業者であれば容易に類推できるところであるし、また、当該技術分野において、高温流体側の弁座位置を調節する手段を採用している例も存在している（特開昭６１−２１５８７６号公報、甲第２号証）。　
　そうすると、弁座位置調節手段を低温流体側の弁座に適用するか、高温流体側の弁座に適用するかは通常の選択的設計事項というべきであり、刊行物１記載の低温流体側の弁座位置を調節するものに代えて、高温流体側の弁座位置を調節するものとすることは、格別困難とはいえない。
　また、本件発明において、高温流体側の弁座位置を調節するようにした作用効果も、上記各刊行物の記載から予測しうる範囲を越えるものではない。
　（３）請求項１の特許について
　したがって、本件発明は、上記刊行物記載の発明に基づいて、当業者が容易に発明をすることができたものであるから、請求項１に係る本件特許は、特許法第２９条第２項の規定に基づいて拒絶査定をしなければならない特許出願に対してされたことになる。
　
　６．［請求項２および３について］
　（１）請求項２の発明について
　刊行物２には、上記ロのとおり、感温ばねの耐用年数を高めるには「歪」が所定量より小さい方が好ましいことが指摘されているが、この「歪」は、その定義からみて、本件請求項２の発明でいう「せん断ひずみ」に相当するものと認められ、同じく、刊行物２の上記ハで指摘した点も参酌すれば、刊行物２の図１や図３には、感温ばね１３０のひずみ規制手段が開示されているといえ、刊行物１記載のものにおいて、感温ばねと共に、このような規制手段をあわせて採用することが格別困難であるとはいえない。
　（２）請求項３の発明について
　感温体ばねの素材として、請求項３で言及している「保存・使用温度範囲においてＲ(Rhombohedral)相ないし母相の相変態する形状記憶合金」を利用することは、刊行物３の上記指摘に基づいて、当業者が容易に想到しうる設計事項といえる。
　（３）請求項２および３の特許について
　上記のとおり、請求項２及び請求項３記載の発明も本件発明と同様に、上記刊行物記載の発明に基づいて、当業者が容易に発明をすることができたものであるから、請求項２及び請求項３に係る本件特許は、特許法第２９条第２項の規定に基づいて拒絶査定をしなければならない特許出願に対してされたことになる。
　
　７．［むすび］
　以上のとおり、請求項１、２、３に係る各本件特許は、いずれも拒絶査定をしなければならない特許出願に対してされたものであるから、平成６年法律第１１６号附則第１４条の規定によって適用される、平成７年政令第２０５号第４条第２項の規定に基づいて、特許法第１１４条第２項に規定する、取り消すべき旨の決定をすべきものに該当する。
　よって、結論のとおり決定する。
【異議決定日】
平成１３年１月１２日（２００１．１．１２）
【訂正の要旨】
　上記訂正の要旨は、次のイ、ロのとおりである。
　イ　請求項１〜３のそれぞれにおいて、「前記二つの弁座の少なくとも一方の弁座位置を可変し」という記載を、「前記二つの弁座のうち高温流体側の弁座（の）位置を可変し」という記載に訂正すると共に、末尾の「弁座位置調節手段を備えてなる混合温度制御装置。」という記載を、「弁座位置調節手段とを備えるとともに、前記可動弁体は前記感温体ばねと前記バイアスばねとの付勢力の釣り合いによって作動する混合温度制御装置。」という記載に訂正する。
　ロ　特許明細書における「発明の詳細な説明」の、上記イの訂正事項に対応する箇所（【０００１８】、【００１９】、【００２０】、【００６６】、【００６７】、【０００６８】）について、当該訂正事項と同趣旨の訂正をする。
（５４）【発明の名称】
混合温度制御装置
（５７）【特許請求の範囲】
　【請求項１】高温流体と低温流体の混合比を調節する可動弁体と、前記可動弁体とそれぞれ対向して設けた高温流体側弁座および低温流体側弁座と、前記混合流体の温度上昇に伴い高温流体の割合を減少させる方向に前記可動弁体を付勢する感温体ばねと、前記可動弁体を反対方向に付勢するバイアスばねと、前記二つのばねの少なくとも一方の付勢力を可変し混合温度を調節する付勢力調節手段と、前記二つの弁座の
うち高温流体側の弁座
備えるとともに、前記可動弁体は前記感温体ばねと前記バイアスばねとの付勢力の釣り合いによって作動する
　【請求項２】高温流体と低温流体の混合比を調節する可動弁体と、前記可動弁体とそれぞれ対向して設けた高温流体側弁座および低温流体側弁座と、前記混合流体の温度上昇に伴い高温流体の割合を減少させる方向に前記可動弁体を付勢する感温体ばねと、前記可動弁体を反対方向に付勢するバイアスばねと、前記二つのばねの少なくとも一方の付勢力を可変し混合温度を調節する付勢力調節手段と、前記感温体ばねのせん断ひずみγを規制するせん断ひずみ規制手段と、前記二つの弁座の
うち高温流体側の弁座
備えるとともに、前記可動弁体は前記感温体ばねと前記バイアスばねとの付勢力の釣り合いによって作動する
　【請求項３】高温流体と低温流体の混合比を調節する可動弁体と、前記可動弁体とそれぞれ対向して設けた高温流体側弁座および低温流体側弁座と、保存・使用温度範囲においてＲ（Ｒｈｏｍｂｏｈｅｄｒａｌ）相ないし母相の相変態をする形状記憶合金からなり、前記混合流体の温度上昇に伴い高温流体の割合を減少させる方向に前記可動弁体を付勢する感温体ばねと、前記可動弁体を反対方向に付勢するバイアスばねと、前記二つのばねの少なくとも一方の付勢力を可変し混合温度を調節する付勢力調節手段と、前記二つの弁座の
うち高温流体側の弁座
備えるとともに、前記可動弁体は前記感温体ばねと前記バイアスばねとの付勢力の釣り合いによって作動する
　【請求項４】高温流体と低温流体の混合比を調節する可動弁体と、前記可動弁体とそれぞれ対向して設けた高温流体側弁座および低温流体側弁座と、前記混合流体の温度上昇に伴い高温流体の割合を減少させる方向に前記可動弁体を付勢する感温体ばねと、前記可動弁体を反対方向に付勢するバイアスばねと、前記二つのばねの少なくとも一方の付勢力を可変し混合温度を調節する電気的付勢力調節手段と、前記二つの弁座の少なくとも一方の弁座位置を可変し前記流体の流量を調節する弁座位置調節手段と、前記混合流体の温度を検出する温度検出手段と、混合流体温度の目標値を設定する温度設定手段と、前記温度検出手段により検出された温度と前記温度設定手段により設定された目標値とに基づいて前記電気的付勢力調節手段を制御する電子制御手段とを備えてなる混合温度制御装置。
　【請求項５】高温流体と低温流体の混合比を調節する可動弁体と、前記可動弁体とそれぞれ対向して設けた高温流体側弁座および低温流体側弁座と、前記混合流体の温度上昇に伴い高温流体の割合を減少させる方向に前記可動弁体を付勢する感温体ばねと、前記可動弁体を反対方向に付勢するバイアスばねと、前記二つのばねの少なくとも一方の付勢力を可変し混合温度を調節する手動駆動部を備えた電気的付勢力調節手段と、前記二つの弁座の少なくとも一方の弁座位置を可変し前記流体の流量を調節する弁座位置調節手段と、前記混合流体の温度を検出する温度検出手段と、混合流体温度の目標値を設定する温度設定手段と、前記温度検出手段により検出された温度と前記温度設定手段により設定された目標値とに基づいて前記電気的付勢力調節手段を制御する電子制御手段とを備えてなる混合温度制御装置。
　【請求項６】高温流体と低温流体の混合比を調節する可動弁体と、前記可動弁体とそれぞれ対向して設けた高温流体側弁座および低温流体側弁座と、前記混合流体の温度上昇に伴い高温流体の割合を減少させる方向に前記可動弁体を付勢する感温体ばねと、前記可動弁体を反対方向に付勢するバイアスばねと、前記二つのばねの少なくとも一方の付勢力を可変し混合温度を調節する手動駆動部を備えた電気的付勢力調節手段と、前記二つの弁座の少なくとも一方の弁座位置を可変し前記流体の流量を調節する弁座位置調節手段と、前記混合流体の温度を検出する温度検出手段と、混合流体温度の目標値を設定する温度設定手段と、前記温度検出手段により検出された温度と前記温度設定手段により設定された目標値とに基づいて前記電気的付勢力調節手段を制御する電子制御手段を備え、前記電気的付勢力調節手段は、モータを前記手動駆動部を兼ねる樹脂で覆った防湿手段を備え、前記モータを電気的に駆動するか前記手動駆動部を人力で駆動するかのいずれによっても前記可動弁体のばね付勢力を可変する手動電気両用駆動手段を備えてなる混合温度制御装置。
【発明の詳細な説明】
　【０００１】
　【産業上の利用分野】
　本発明は、高温流体と低温流体の混合比率を調節して混合流体の温度をコントロールする混合温度制御装置に関するものである。
　【０００２】
　【従来の技術】
　従来のこの種の混合温度制御装置（例えば特開平６−１５９５３２号公報）を、図７に示す。同図において、湯水混合装置１０のハウジング１２は、ほぼ円筒形の本体１４と、この本体に螺合などにより液密に締結された出口金具１６と、同様に本体１１４に液密に締結されたキャップ１８とで構成されている。
　【０００３】
　ハウジング１２には入口２０および２２が形成してあり、入口２０は湯入口として作用し、入口２２は水入口として作用する。ハウジング１２には中央ボア２４が形成してあり、このボア２４には受圧ピストン２６が摺動自在に嵌合してある。ハウジング１２の内部にはこの受圧ピストン２６によって湯側一次圧力室２８と水側一次圧力室３０とに分割されている。湯水入口２０および２２は、それぞれ一次圧力室２８および３０に連通しており、一次圧力をもった湯水が一次圧力室２８および３０にそれぞれ供給されるようになっている。
　【０００４】
　受圧ピストン２６は所定の半径方向クリアランスをもってボア２４に嵌合され、ボア２４内で摺動ずる。湯側一次圧力室２８および水側一次圧力室３０は、それぞれ弁座３２および３４を介して湯側弁室３６および水側弁室３８と連通している。湯側弁座３２と水側弁室３４とは同軸的に整列してあり、互いに対称的に配置してある。水側弁室３８はキャップ１８に形成された複数の開口４０と本体１４に形成された通路４２とを介して湯側弁室３６に連通してあり、水側弁座３４を通過した水が湯側弁室３６内に流入するようになっている。したがって、湯側弁室３６は湯水混合室として作用し、その湯水混合室３６で形成された湯水混合物は、出口金具１６の混合物出口４４から吐出される。
　【０００５】
　ハウジング１２の内部には可動弁体ユニット４６が軸方向に移動可能である。この弁体ユニット４６は、弁軸４８と、ナットにより弁軸４８の両端にそれぞれ固定された湯側弁体５０および水側弁体５２を有する。弁軸４８は受圧ピストン２６と一体的に形成してあり、可動弁体ユニット４６と受圧ピストン２６が連動する。湯側弁体５０および水側弁体５２は同軸的に整列してあり、湯側弁座３２および水側弁座３４とそれぞれ協動して湯水の流れが制御される。受圧ピストン２６と湯側弁体５０と水側弁体５２の有効受任面積は互いに等しくしてあり、湯側一次圧力室２８内の一次圧力は湯側弁体５０に開弁方向に作用すると共に、受圧ピストン２６に反対方向に作用する。
　【０００６】
　受圧ピストン２６の有効受圧面積と湯側弁体５０の有効受圧面積とは等しいので、湯側一次圧力室２８内の一次圧力により湯側弁体５０に作用する力はその一次圧力により受圧ピストン２６に作用する力と相殺される。同様にして、水側一次圧力室３０内の一次圧力により水側弁体５２に作用する力とその一次圧力により受圧ピストン２６に作用する力とは互いに相殺される。したがって、可動弁体ユニット４６には、湯水の一次圧力に起因する偏奇力は作用しない。
　【０００７】
　また、湯水混合室３６と水側弁体３８とは互いに連通しており、両者内の二次圧力は等しいので、二次圧力に起因する偏奇力が可動弁体ユニット４６に作用することもない。したがって、可動弁体ユニット４６は、湯水の圧力の過渡的変動の影響を受けることなく、互いに相反する方向に作用する２種の機械的な付勢力の釣り合いによって位置決めされる。すなわち、湯水混合室３６内および水側弁室３８内には、コイルばね５４および５６が圧縮状態でそれぞれ配置してある。
　【０００８】
　一方のコイルばね５４は感温素子として作用するもので、温度に応じてばね定数が変化する特性を有するニッケル・チタン系の形状記憶合金で形成されている。この形状記憶合金製感温コイルばね５４は、混合室３６内の湯水混合物の温度に応じて線形（リニア）に変化するばね力を発生し、可動弁体ユニット４６に作用させる。感温コイルばね５４を形成する形状記憶合金は、温度に応じて弾性係数が変化し、その結果、コイルバネ５４のばね定数、ひいてはばね力を温度に応じて変化させる。この形状記憶合金製の感温コイルばね５４の一端は湯側弁体５０に支承され、他端は出口金具１６に支承されている。したがって、形状記憶合金製感温コイルばね５４は、可動弁体ユニットを左右に付勢している。
　【０００９】
　他方のコイルばね５６は、バイアスばねとして作用するもので、通常のばね材料で形成されており、そのばね定数は温度に関しほぼ一定である。したがって、バイアスばね５６が発生する付勢力は、それに加えられた予荷重に比例する。バイアスばね５６の一端は水側弁体５２に支承され、その他端は、キャップ１８に摺動自在に装着された可動ばね受け５８に支承されている。この可動ばね受け５８には、キャップ１８に螺合された調節ねじ６０が係合させてあり、調節ねじのハンドル６２を回転させることによりバイアスばね５６の予荷重を調節できる。バイアスばね５６は、可動弁体ユニット４６を左右に付勢している。
　【００１０】
　つまり、従来の湯水混合装置である特開平６−１５９５３２号公報においては、感温素子５４が温度変化に応じてばね定数が線形（リニア）に変化するような特性領域を備えた形状記憶合金により形成されており、その線形特性領域において形状記憶合金製コイルばね５４の付勢力とバイアスばね５６の付勢力とを均衡させることにより、可動弁体４６を作動させ、オーバーシュートやアンダーシュートを伴うことなく、きめ細かな温度調節を行うことができるという湯水混合装置について提案されている。
　【００１１】
　【発明が解決しようとする課題】
　しかしながら上記したような従来の混合温度制御装置は、湯水の混合温度の調節はできるものの、混合されたトータル流量のコントロールをするには別個に流量調節弁が必要となる点、および大きさやコストの面での課題があった。
　【００１２】
　本発明は上記課題を解決するものであり、一つの弁体で流体の混合温度自動調節機能および総合流量調節の二つの機能を実現でき、コンパクトで安価な混合温度制御装置を提供することを第一の目的としている。
　【００１３】
　第二の目的は、一つの弁体で流体の混合温度自動調節機能と総合流量調節機能を有するとともに、感温体ばねの繰り返したわみに対する耐久性を確保する混合温度制御装置を提供することにある。
　【００１４】
　第三の目的は、一つの弁体で流体の混合温度自動調節機能と総合流量調節機能を有するとともに、感温体ばねの使用温度および保存温度範囲において、繰り返したわみに対する耐久性の確保と、ヒステリシスが小さい混合温度制御装置を提供することにある。
　【００１５】
　第四の目的は、一つの弁体で流体の混合温度自動調節機能と総合流量調節機能を有するとともに、流体圧力変動や流量変更などによる温度ズレのない優れた温度制御機能を有する混合温度制御装置を提供することにある。
　【００１６】
　第五の目的は、一つの弁体で流体の混合温度自動調節機能と総合流量調節機能を有し、水圧変動や設定温度変更などによる温度ズレのない優れた温度制御機能を有するとともに、停電時および電子制御手段等の故障時にも手動で使用可能な混合温度制御装置を提供することにある。
　【００１７】
　第六の目的は、一つの弁体で流体の混合温度自動調節機能と総合流量調節機能を有し、湿気の多い場所で使用でき、停電時および電子制御手段等の故障時にも手動で使用可能な混合温度制御装置を提供することにある。
　【００１８】
　【課題を解決するための手段】
　上記第一の目的を達成するために本発明の混合温度制御装置は、高温流体と低温流体の混合比を調節する可動弁体と、前記可動弁体とそれぞれ対向して設けた高温流体側弁座および低温流体側弁座と、前記混合流体の温度上昇に伴い高温流体の割合を減少させる方向に前記可動弁体を付勢する感温体ばねと、前記可動弁体を反対方向に付勢するバイアスばねと、前記二つのばねの少なくとも一方の付勢力を可変し混合温度を調節する付勢力調節手段と、前記二つの弁座の
うち高温流体側の弁座
備えるとともに、前記可動弁体は前記感温体ばねと前記バイアスばねとの付勢力の釣り合いによって作動する
　【００１９】
　上記第二の目的を達成するために本発明の混合温度制御装置は、高温流体と低温流体の混合比を調節する可動弁体と、前記可動弁体とそれぞれ対向して設けた高温流体側弁座および低温流体側弁座と、形状記憶合金からなり前記混合流体の温度上昇に伴い高温流体の割合を減少させる方向に前記可動弁体を付勢する感温体ばねと、前記可動弁体を反対方向に付勢するバイアスばねと、前記二つのばねの少なくとも一方の付勢力を可変し混合温度を調節する付勢力調節手段と、前記感温体ばねのせん断ひずみγを規制するせん断ひずみ規制手段と、前記二つの弁座の
うち高温流体側の弁座
備えるとともに、前記可動弁体は前記感温体ばねと前記バイアスばねとの付勢力の釣り合いによって作動する
　【００２０】
　上記第三の目的を達成するために本発明の混合温度制御装置は、高温流体と低温流体の混合比を調節する可動弁体と、前記可動弁体とそれぞれ対向して設けた高温流体側弁座および低温流体側弁座と、保存・使用温度範囲においてＲ（Ｒｈｏｍｂｏｈｅｄｒａｌ）相ないし母相の相変態をする形状記憶合金からなり、前記混合流体の温度上昇に伴い高温流体の割合を減少させる方向に前記可動弁体を付勢する感温体ばねと、前記可動弁体を反対方向に付勢するバイアスばねと、前記二つのばねの少なくとも一方の付勢力を可変し混合温度を調節する付勢力調節手段と、前記二つの弁座の
うち高温流体側の弁座
備えるとともに、前記可動弁体は前記感温体ばねと前記バイアスばねとの付勢力の釣り合いによって作動する
　【００２１】
　上記第四の目的を達成するために本発明の混合温度制御装置は、高温流体と低温流体の混合比を調節する可動弁体と、前記可動弁体とそれぞれ対向して設けた高温流体側弁座および低温流体側弁座と、前記混合流体の温度上昇に伴い高温流体の割合を減少させる方向に前記可動弁体を付勢する感温体ばねと、前記可動弁体を反対方向に付勢するバイアスばねと、前記二つのばねの少なくとも一方の付勢力を可変し混合温度を調節する電気的付勢力調節手段と、前記二つの弁座の少なくとも一方の弁座位置を可変し前記流体の流量を調節する弁座位置調節手段と、前記混合流体の温度を検出する温度検出手段と、混合流体温度の目標値を設定する温度設定手段と、前記温度検出手段により検出された温度と前記温度設定手段により設定された目標値とに基づいて前記電気的付勢力調節手段を制御する電子制御手段を設けたものである。
　【００２２】
　上記第五の目的を達成するために本発明の混合温度制御装置は、高温流体と低温流体の混合比を調節する可動弁体と、前記可動弁体とそれぞれ対向して設けた高温流体側弁座および低温流体側弁座と、前記混合流体の温度上昇に伴い高温流体の割合を減少させる方向に前記可動弁体を付勢する感温体ばねと、前記可動弁体を反対方向に付勢するバイアスばねと、前記二つのばねの少なくとも一方の付勢力を可変し混合温度を調節する手動駆動部を備えた電気的付勢力調節手段と、前記二つの弁座の少なくとも一方の弁座位置を可変し前記流体の流量を調節する弁座位置調節手段と、前記混合流体の温度を検出する温度検出手段と、混合流体温度の目標値を設定する温度設定手段と、前記温度検出手段により検出された温度と前記温度設定手段により設定された目標値とに基づいて前記電気的付勢力調節手段を制御する電子制御手段を設けたものである。
　【００２３】
　上記第六の目的を達成するために本発明の混合温度制御装置は、高温流体と低温流体の混合比を調節する可動弁体と、前記可動弁体とそれぞれ対向して設けた高温流体側弁座および低温流体側弁座と、前記混合流体の温度上昇に伴い高温流体の割合を減少させる方向に前記可動弁体を付勢する感温体ばねと、前記可動弁体を反対方向に付勢するバイアスばねと、前記二つのばねの少なくとも一方の付勢力を可変し混合温度を調節する手動駆動部を備えた電気的付勢力調節手段と、前記二つの弁座の少なくとも一方の弁座位置を可変し前記流体の流量を調節する弁座位置調節手段と、前記混合流体の温度を検出する温度検出手段と、混合流体温度の目標値を設定する温度設定手段と、前記温度検出手段により検出された温度と前記温度設定手段により設定された目標値とに基づいて前記電気的付勢力調節手段を制御する電子制御手段を備え、前記電気的付勢力調節手段は、モータを前記手動駆動部を兼ねる樹脂で覆った防湿手段を備え、前記モータを電気的に駆動するか前記手動駆動部を人力で駆動するかのいずれによっても前記可動弁体のばね付勢力を可変する手動電気両用駆動手段を設けたものである。
　【００２４】
　【作用】
　本発明の混合温度制御装置は上記した構成により、高温流体と低温流体の混合比を調節する可動弁体に感温体ばねの付勢力と、その感温体ばねの付勢方向とは反対方向の付勢力がバイアスばねによってそれぞれ前記可動弁体に作用して、それら２つのばねの付勢力が釣り合う位置に前記可動弁体が位置決めされ、流入する高温流体と低温流体は、前記可動弁体の開度位置に応じた混合比の混合流体となって、前記感温体ばねの周囲を通過して流出し、このとき、混合流体の温度は感温体ばねによって機械的にフィードバックされつつ、前記２つのばねの釣り合いによって自動的に温度調節されるように作用する。したがって、前記２つのばねの少なくとも一方の付勢力を調節する付勢力調節手段によって、目標の混合温度を設定することになる。
　【００２５】
　また、弁座位置調節手段によって弁座位置を可変することによって前記可動弁体と前記弁座との距離を可変でき、混合流体の流量が全開から全閉まで調節可能に作用する。このときも、混合流体温度は感温体ばねとバイアスばねの釣り合いによって可動弁体が作動し、前記付勢力調節手段で設定された目標温度に自動的に保持されるように作用する。
　【００２６】
　また本発明の混合温度制御装置は上記した構成により、１つの可動弁体と高温流体側弁座、低温流体側弁座、バイアスばね、感温体ばね、付勢力調節手段、弁座位置調節手段によって混合流体の温度設定ならびに自動温度調節および流量調節ができるように作用するとともに、感温体ばねのせん断ひずみγを規制するせん断ひずみ規制手段によって、形状記憶合金からなる感温体ばねは、せん断ひずみγが所定量を越えない範囲内での繰り返したわみとなり、感温体ばねの耐久性を損なうことなく、混合流体温度制御および流量調節されるように作用する。
　【００２７】
　また本発明の混合温度制御装置は上記した構成により、１つの可動弁体と高温流体側弁座、低温流体側弁座、バイアスばね、温度に応じてばね定数が変化し、保存・使用温度範囲においてＲ（Ｒｈｏｍｂｏｈｅｄｒａｌ）相ないし母相の相変態をする形状記憶合金からなる感温体ばね、付勢力調節手段、弁座位置調節手段によって混合流体の温度設定ならびに自動温度調節および流量調節ができるように作用するとともに、前記感温体ばねは、保存・使用温度範囲においてＲ（Ｒｈｏｍｂｏｈｅｄｒａｌ）相と母相とを繰り返す相変態しかしないように作用する。したがって、感温体ばねの動作温度および保存温度範囲において、繰り返したわみに対する耐久性が損なわれることがなく、かつヒステリシスが小さく高い応答性で混合流体の温度が制御されるよう作用する。
　【００２８】
　また本発明の混合温度制御装置は上記した構成により、１つの可動弁体と高温流体側弁座、低温流体側弁座、バイアスばね、感温体ばね、付勢力調節手段、弁座位置調節手段によって混合流体の温度設定ならびに自動温度調節および流量調節ができるように作用するとともに、可動弁体と高温流体側弁座との隙間から流入した高温流体と、前記可動弁体と低温流体側弁座との隙間から流入した低温流体とが混合され、その混合流体が感温体ばねに接触しながら通過し、混合温度が感温体ばねに熱伝達され機械的にフィードバック制御され、電子制御手段は温度検出手段によって検出された混合流体温度と、温度設定手段により設定された目標値とに基づいて電気的付勢力調節手段を駆動し、混合物温度を目標値に電気的にフィードバック制御する。したがって、感温体ばねのヒステリシスや流体圧力変動および弁座位置調節手段による流量変更などによって温度偏差が瞬間的に生じても、電気的フィードバック制御により温度補正される。
　【００２９】
　このように、混合流体の過渡的温度変動は混合された混合流体が形状記憶合金製の感温体ばねに接触しながら、機械的フィードバック制御により迅速に適合され、定常的オフセットは、混合温度検知手段によって検知して電気的フィードバック制御されるので、一つの弁体で流体の混合温度自動調節機能と総合流量調節機能を有するとともに、流体圧力変動や流量変更などによる温度ズレのない優れた温度制御機能を有する混合温度制御装置が得られる。
　【００３０】
　また本発明の混合温度制御装置は上記した構成により、１つの可動弁体と高温流体側弁座、低温流体側弁座、バイアスばね、感温体ばね、付勢力調節手段、弁座位置調節手段によって混合流体の温度設定ならびに自動温度調節および流量調節ができるように作用するとともに、可動弁体と高温流体側弁座との隙間から流入した高温流体と、前記可動弁体と低温流体側弁座との隙間から流入した低温流体とが混合され、その混合流体が感温体ばねに接触しながら通過し、混合温度が感温体ばねに熱伝達され機械的にフィードバック制御され、電子制御手段は温度検出手段によって検出された混合流体温度と、温度設定手段により設定された目標値とに基づいて電気的付勢力調節手段を駆動し、混合流体温度を目標値に電気的にフィードバック制御する。したがって、感温体ばねのヒステリシスや流体圧力変動および弁座位置調節手段による流量変更などによって温度偏差が瞬間的に生じても、電気的フィードバック制御により温度補正される。
　【００３１】
　さらに、電気的付勢力調節手段は手動駆動部を備えた構成で、停電時や電子制御手段等の故障時にも手動駆動部により混合温度の設定点を変更でき、混合温度自動調節機能と総合流量調節機能を失うことなく使用できる。
　【００３２】
　また本発明の混合温度制御装置は上記した構成により、１つの可動弁体と高温流体側弁座、低温流体側弁座、バイアスばね、感温体ばね、付勢力調節手段、弁座位置調節手段によって混合流体の温度設定ならびに自動温度調節および流量調節ができるように作用するとともに、可動弁体と高温流体側弁座との隙間から流入した高温流体と、前記可動弁体と低温側弁座との隙間から流入した低温流体とが混合され、その混合流体が感温体ばねに接触しながら通過し、混合温度が感温体ばねに熱伝達され機械的にフィードバック制御され、電子制御手段は温度検出手段によって検出された混合流体温度と、温度設定手段により設定された目標値とに基づいて電気的付勢力調節手段を駆動し、混合物温度を目標値に電気的にフィードバック制御する。したがって、感温体ばねのヒステリシスや流体圧力変動および弁座位置調節手段による流量変更などによって温度偏差が瞬間的に生じても、電気的フィードバック制御により温度補正される。
　【００３３】
　さらに、電気的付勢力調節手段はモータを前記手動駆動部を兼ねる樹脂で覆った防湿手段を備え、前記モータを電気的に駆動するか前記手動駆動部を人力で駆動するかのいずれによっても前記可動弁体のばね付勢力を可変する手動電気両用駆動手段を備えた構成で、停電時や電子制御手段等の故障時にも手動駆動部により混合温度の設定点を変更でき、混合温度自動調節機能と総合流量調節機能を失うことなく使用できるとともに、湿気の多い場所での使用が可能になる。
　【００３４】
　【実施例】
　以下本発明の実施例を図面にもとづいて説明する。
　【００３５】
　図１は本発明の第一の実施例を示す構成図である。図１において７０は、湯等の高温流体を供給する高温流体供給管であり、高温流体供給管７０は混合弁７１に連通している。混合弁７１には、高温流体供給管７０と、水等の低温流体供給管７２からそれぞれ湯と水が供給される。混合弁７１は、ハウジング７３に設けられた高温流体入口７４および低温流体入口７５から湯水が供給され、可動弁体７６の可動によって高温流体側弁座７７および低温流体側弁座７８とのスキマの距離が反比例的に変わり、湯水の混合比が調節される構成である。可動弁体７６は、湯と水が周囲から内側に流入する筒状形で、バイアスばね７９によって図１において右側方向に付勢されているとともに、混合流路８０に設けられた温度に応じてばね定数が変化する感温体ばね８１によっても図１において左側方向に付勢されている。感温体ばね８１は温度に応じてばね定数が変化することから、同じ拘束長さであれば付勢力が変化することになり、可動弁体７６は、バイアスばね７９と感温体ばね８１の付勢力が釣り合う位置へ押されて移動する。また、バイアスばね７９の付勢カおよび感温体ばね８１の付勢力を加減調節する付勢力調節手段８２は、付勢力調節操作部８３を回転することにより、付勢力調節雄ねじ８４が回転しながら進退し、その付勢力調節雄ねじ８４にバイアスばね７９および感温体ばね８１によって付勢されている可動ばね受け８５が進退する構成である。たとえば図１において、可動ばね受け８５が少し右側へ移動する方向に付勢力調節手段８２を回転した場合、バイアスばね７９がより圧縮されてバイアスばね７９の付勢力がより大きくなり、可動弁体７６も少し右へ移動し始める。すると高温流体入口７４の開度が少し大きくなり、それにともなって低温流体入口７５の開度が少し小さくなる。したがって混合流体の温度が少し上昇して感温体ばね８１の温度も同時に上昇し、感温体ばね８１の付勢力も少し大きくなる。そうして感温体ばね８１の付勢力がバイアスばね７９の付勢力と釣り合った時点で可動弁体７６が停止する。このように、付勢力調節手段８２の回転位置によって混合流体の温度が設定できるとともに、その設定温度に自動的に保持するようにバイアスばね７９および感温体ばね８１の付勢力の釣り合いによって可動弁体７６の位置が制御される構成である。
　【００３６】
　さらに、高温流体側弁座７７は弁座位置調節手段８６によって進退可能な可動弁座構造であり、図１において弁座位置調節手段８６により高温流体側弁座７７を回転すると弁座位置調節雄ねじ８７によって進退し、可動弁体７６と弁座７７との距離を可変でき、混合流体の流量を調節できる。このときも、混合流体温度は感温体ばね８１とバイアスばね７９の釣り合いによって可動弁体７６が作動し、付勢力調節手段８２で設定された目標温度に自動的に保持されるように作用する。さらに、弁座位置調節手段８６によって弁座７７を図２に示す位置まで移動すると、高温流体側弁座７７と可動弁体７６の隙間距離および低温流体側弁座７８と可動弁体７６との隙間距離はいずれもゼロ、すなわち閉塞状態にできる。つまり弁座位置調節手段８６の操作により、流量全開から全閉まで調節可能な構成である。なお、８８は付勢力調節雌ねじ８９および弁座位置調節雌ねじ９０を備えたハウジングキャップである。また９１は混合流体出口である。
　【００３７】
　以上の構成において本実施例の動作を説明する。付勢力調節手段８２の付勢力調節操作部８３により、希望する混合温度を設定した状態で、弁座位置調節手段８６を操作して図１のように出湯すると、高温流体供給管７０および低温流体供給管７２から混合弁７１の高温流体口７４および低温流体入口７５から、可動弁体７６と高温流体側弁座７７および低温流体側弁座７８とのスキマの距離に応じて湯と水がそれぞれ可動弁体７６の周囲から内側に流入し、混合流路８０で混合され湯水混合物が感温体ばね８１に接触しながら通過する。
　【００３８】
　このとき、可動弁体７６は混合流体の温度に対応した感温体ばね８１の付勢力と、設定温度に対応したバイアスばね７９の付勢力との機械的な付勢力の釣り合いによって位置決めされる。つまり、付勢力調節手段８２によって設定された希望温度に見合うバイアスばね７９の付勢力に対して実際の混合流体の温度が低い場合は、感温体ばね８１の付勢力の方が小さく、高温流体側弁座７７と可動弁体７６とのスキマ距離が拡がり、低温流体側弁座７８と可動弁体７６とのスキマの距離が狭まる方向に可動弁体７６を移動する。
　【００３９】
　逆に、付勢力調節手段８２によって設定された希望温度に見合うバイアスばね７９の付勢力に対して実際の混合流体の温度が高い場合は、感温体ばね８１の付勢力の方がが大きく、高温流体弁座７７と可動弁体７６とのスキマ距離が狭まり、低温流体弁座７８と可動弁体７６とのスキマの距離が拡がる方向に可動弁体７６を移動する。このように、感温体ばね８１の作用によって、付勢力調節手段８２で設定された希望温度に常に保持されるように、自動的に機械的なフィードバック制御が機能し、可動弁体７６が作動し、きめ細かな温度調節ができる。
　【００４０】
　なお、９２はバイアスばね７９と可動ばね受け８５との間に設けたリング状のシート部材で、相互のすべりを良くしバイアスばね７９の不自然なねじれを防止できる。また、感温体ばね８１の当接部に設けられたリング状のシート部材９３も、同様に感温体ばね８１の不要なねじれ作用を防止でき、混合による良好な温度調節性能の確保のために有効である。
　【００４１】
　さらに、混合流体の全体流量を変更したい場合、図１において弁座位置調節手段８６により高温流体側弁座７７を回転すると弁座位置調節雄ねじ８７によって進退し、可動弁体７６と弁座７７との距離を可変でき、混合流体の流量を任意に調節できる。このように流量を変更したときも、混合流体温度は感温体ばね８１とバイアスばね７９の釣り合いによって可動弁体７６が作動し、付勢力調節手段８２で設定された目標温度に自動的に保持されるように作用する。さらに、弁座位置調節手段８６によって弁座７７を図２に示す位置まで移動することにより、閉塞状態にできる。
　【００４２】
　つまり弁座位置調節手段８６の操作により、全開から全閉まで任意に流量を調節できるとともに、混合流体の温度は付勢力調節手段８２によって設定された温度に常に保持されるように可動弁体７６が作動する。
　【００４３】
　以上のように本実施例によれば、一つの可動弁体８６で流体の混合温度自動調節機能および総合流量調節の二つの機能が得られ、コンパクトで安価な混合温度制御装置を実現できる。
　【００４４】
　次に本発明の第二の実施例について、同じく図１、図２および図３を用いて説明する。なお、本発明の第一の実施例において説明した内容と重複する構成および動作については説明を省略する。図１および図２において、せん断ひずみ規制手段９４として、感温体ばね８１が圧縮される側に可動弁体７６が移動したとき、低温流体側弁座７８に当接する構成によって感温体ばね８１の最大圧縮時の最大ひずみ量が規制され、感温体ばね８１のせん断ひずみγが１％を越えない範囲に規制される構成である。なお、コイルばねのせん断ひずみγは、コイルばねの線径ｄとコイルばねのたわみδの積を、コイルばねの有効巻数ｎとコイルばね平均径Ｄの２乗とπとの積でわり算して百分率で表したもので、式で示すと、γ＝（ｄ×δ）÷（π×ｎ×Ｄ２）×１００％となる。
　【００４５】
　図３は図１に示した構成における感温体ばね８１とバイアスばね７９および可動弁体７６について、変位と力の関係を図に表したものである。感温体ばね８１は、図のように各温度と変位に応じて付勢力が変化する。またバイアスばね７９は、温度に関係なく変位に応じて付勢力が直線的に変化する。バイアスばね７９と感温体ばね８１の変位は、弁体７６の変位移動と共に反比例的に変化する構成なので、図３の各温度における感温体ばね特性の線とバイアスばね特性の線との各交点が、動作点となる。
　【００４６】
　また、高温流体全開いいかえれば低温流体全閉の弁体位置で、最高温度設定点が、感温体ばね８１のせん断ひずみγが最大となる点であるが、図３にも示したように本実施例では、この位置でせん断ひずみγが１％以下になるように、せん断ひずみ規制手段９４を備えた構成なので、感温体ばね８１には、１％を越えるせん断ひずみが作用することはない。
　【００４７】
　したがって、本実施例の混合温度制御装置は、１つの可動弁体７６と高温流体側弁座７７、低温流体側弁座７８、バイアスばね７９、感温体ばね８１、付勢力調節手段８２、弁座位置調節手段８６によって混合流体の温度設定ならびに自動温度調節および流量調節ができるとともに、感温体ばね８１のせん断ひずみγを規制するせん断ひずみ規制手段９４によって、形状記憶合金からなる感温体ばね８１は、せん断ひずみγが１％以下の範囲内での繰り返したわみとなり、感温体ばね８１の耐久性を損なうことなく、混合流体温度制御および流量調節ができる。
　【００４８】
　また、せん断ひずみγが１％より大きい場合と小さい場合を比較試験してみると、やはりヒステリシスも明らかに差異が認められ、耐久性だけでなく初期温度制御性能の面でもせん断ひずみγを所定量以下に規制するせん断ひずみ規制手段９４の効果を確認することができた。
　【００４９】
　以上のように本実施例によれば、感温体ばね８１は、せん断ひずみγが所定量を越えない範囲内での繰り返したわみとなり、感温体ばね８１の耐久性を損なうことなく、一つの可動弁体７６で流体の混合温度自動調節機能と総合流量調節機能を有するとともに、感温体ばね８１の繰り返したわみに対する耐久性を確保する混合温度制御装置が得られる。
　【００５０】
　本発明の第三の実施例は、図４に領域で示したように、−３０℃から＋１００℃の温度範囲においてＲ（Ｒｈｏｍｂｏｈｅｄｒａｌ）相ないし母相の相変態をする形状記憶合金からなる感温体ばね８１を、図１で示した混合温度制御装置に装着したもので、高温流体と低温流体の混合比を調節する可動弁体７６に温度に応じてばね定数が変化し、保存・使用温度範囲（例えば−３０℃から＋１００℃）においてＲ（Ｒｈｏｍｂｏｈｅｄｒａｌ）相ないし母相の相変態をする形状記憶合金からなる感温体ばね８１の付勢力と、その感温体ばね８１の付勢方向とは反対方向の付勢力がバイアスばね７９によってそれぞれ可動弁体７６に作用して、それら２つのばね７９、８１の付勢力が釣り合う位置に可動弁体７６が位置決めされ、混合弁７１に流入した高温流体と低温流体は、可動弁体７６の開度位置に応じた混合比の混合流体となって、感温体ばね８１の周囲を通過して流出する。前記２つのばね７９、８１の少なくとも一方の付勢力を調節する付勢力調節手段８２によって、目標の混合温度を設定することになる。
　【００５１】
　ここで感温体ばね８１は、ニッケル・チタン２元系合金やニッケル・チタン３元系合金で熱処理温度４００〜５００℃した形状記憶合金のコイルばねで、保存・使用温度範囲（−３０℃から＋１００℃）において、図４のようにＲ（Ｒｈｏｍｂｏｈｅｄｒａｌ）相ないし母相の相変態しかしないように、図１の構成において感温体ばね８１の変位領域が規制されている。
　【００５２】
　つまり、可動弁体７６がバイアスばね７９に付勢されて低温流体側弁座７８に当接した状態のとき、感温体ばね８１が最も圧縮側に変位した点であり、その反対方向に可動弁体７６が高温流体側弁座７７に当接した状態のとき、感温体ばね８１は最も伸長変位した点である。また、弁座位置調節手段８６によって流量調節および図２のように全閉状態にした場合も、感温体ばね８１の変位領域は上記規制範囲内である。
　【００５３】
　すなわち、感温体ばね８１はこの２点の間に変位量が規制される構成であり、このような変位領域および保存・使用温度範囲（−３０℃から＋１００℃）においては、図４のようにＲ（Ｒｈｏｍｂｏｈｅｄｒａｌ）相ないし母相の相変態しかしないわけである。このことにより図４でも歴然なように、Ｍ（マルチンサイト）相の領域まで相変態させた場合に較べ、ヒステリシスが圧倒的に小さい。第一の実施例で説明した機械的フィードバックによる自動温度調節動作において、温度ヒステリシスがきわめて小さく、きめ細かな温度制御が可能となるほか、マルチンサイト変態が生じないことから、繰り返したわみに対しても耐久寿命が劣化しない効果がある。
　【００５４】
　以上のように本実施例によれば、１つの可動弁体７６と高温流体側弁座７７、低温流体側弁座７８、バイアスばね７９、温度に応じてばね定数が変化し、保存・使用温度範囲においてＲ（Ｒｈｏｍｂｏｈｅｄｒａｌ）相ないし母相の相変態をする形状記憶合金からなる感温体ばね８１、付勢力調節手段８２、弁座位置調節手段８６によって混合流体の温度設定ならびに自動温度調節および流量調節ができるとともに、感温体ばね８１は、保存・使用温度範囲においてＲ（Ｒｈｏｍｂｏｈｅｄｒａｌ）相と母相とを繰り返す相変態しかしないように作用する。したがって、感温体ばね８１の動作温度および保存温度範囲において、繰り返したわみに対する耐久性が損なわれることがなく、かつヒステリシスが小さく高い応答性で混合流体の温度が制御できる混合温度制御装置が得られる。
　【００５５】
　図５は本発明の第四の実施例を示す混合温度制御装置の構成図であり、図１の混合温度制御装置の構成との相違は、バイアスばね７９の付勢力を調節するステッピングモータにてなる電気的付勢力調節手段９５と、混合流体の温度を検出するサーミスタにてなる温度検出手段９６と、混合流体の温度の目標値を設定する温度設定手段９７と、温度検出手段９６により検出された温度と温度設定手段９７により設定された目標値とに基づいて電気的付勢力調節手段９５を制御する電子制御手段９８が設けられている点である。図５において、混合流体は感温体ばね８１に接触しながら通過し、混合流体の温度が感温体ばね８１に熱伝達され機械的にフィードバック制御され、電子制御手段９８は温度検出手段９６により検出された混合流体温度と、温度設定手段９７により設定された目標値とに基づいて電気的付勢力調節手段９５を駆動し、混合流体の温度を目標値に電気的にフィードバック制御する。したがって、形状記憶合金にてなる感温体ばね８１のヒステリシスや水圧変動および流量変更などによる温度偏差は、電気的フィードバック制御により補正される。
　【００５６】
　さらに、混合流体の全体流量を変更したい場合、図５において弁座位置調節手段８６により高温流体側弁座７７を回転すると弁座位置調節雄ねじ８７によって進退し、可動弁体７６と弁座７７との距離を可変でき、混合流体の流量を任意に調節できる。このように流量を変更したときも、上記した機械的なフィードバック作用および電気的フィードバック作用とにより、混合流体温度は電気的付勢力調節手段９５で設定された目標温度に自動的に保持されるように作用する。さらに、弁座位置調節手段８６によって弁座７７を移動することにより、全閉状態にできる。
　【００５７】
　つまり弁座位置調節手段８６の操作により、全開から全閉まで任意に流量を調節できるとともに、混合流体の温度は電気的付勢力調節手段９５によって設定された温度に常に保持されるように可動弁体７６が作動する。
　【００５８】
　以上のように本実施例によれば、１つの可動弁体７６と高温流体側弁座７７、低温流体側弁座７８、バイアスばね７９、感温体ばね８１、電気的付勢力調節手段９５、弁座位置調節手段８６によって混合流体の温度設定ならびに自動温度調節および流量調節ができるように作用するとともに、可動弁体７６と高温流体側弁座７７との隙間から流入した高温流体と、可動弁体７６と低温流体側弁座７８との隙間から流入した低温流体とが混合され、その混合流体が感温体ばね８１に接触しながら通過し、混合温度が感温体ばね８１に熱伝達され機械的にフィードバック制御され、電子制御手段９８は温度検出手段によって検出された混合流体温度と、温度設定手段９７により設定された目標値とに基づいて電気的付勢力調節手段９５を駆動し、混合流体温度を目標値に電気的にフィードバック制御する。したがって、感温体ばね８１のヒステリシスや流体圧力変動および弁座位置調節手段８６による流量変更などによって温度偏差が瞬間的に生じても、電気的フィードバック制御により温度補正される。
　【００５９】
　このように、混合流体の過渡的温度変動は混合された混合流体が形状記憶合金製の感温体ばね８１に接触しながら、機械的フィードバック制御により迅速に適合され、定常的オフセットは、温度検知手段９６によって検知して電気的フィードバック制御されるので、一つの可動弁体７６で流体の混合温度自動調節機能と総合流量調節機能を有するとともに、流体圧力変動や流量変更などによる温度ズレのない優れた温度制御機能を有する混合温度制御装置が得られる。
　【００６０】
　図６は本発明の第五の実施例および第六の実施例を示す混合温度制御装置の構成図であり、図５の混合温度制御装置の構成との相違は、バイアスばね７９の付勢力を調節するモータにてなる電気的付勢力調節手段９９に手動駆動部１００が設けられている点である。さらに、電気的付勢力調節手段９９はモータを手動駆動部１００を兼ねる樹脂で覆った防湿手段１０１を備え、モータを電気的に駆動するか手動駆動部１００を人力で駆動するかのいずれによっても可動弁体７６のばね付勢力を可変する手動電気両用駆動手段１０２を備えた構成である。なお、１０３はハウジングキャップ８８と樹脂製の防湿手段１０１との間に設けられた摺動シール部材で、湿気の侵入を防止するとともにモータからなる電気的付勢力調節手段９９で可動ばね受け８５を駆動するとき、前記モータ本体の回転を阻止し、付勢力調節雄ねじ８４だけを回転させる摺動抵抗体の機能を兼ねるものである。手動で可動弁体７６のばね付勢力を可変する場合は、手動駆動部１００を手で回転するとモータ本体とともに付勢力調節雄ねじ８４が回転し、可動ばね受け８５を進退させる構成である。図６において、混合流体は感温体ばね８１に接触しながら通過し、混合流体の温度が感温体ばね８１に熱伝達され機械的にフィードバック制御され、電子制御手段９８は温度検出手段９６により検出された混合流体温度と、温度設定手段９７により設定された目標値とに基づいて電気的付勢力調節手段９９を駆動し、混合流体の温度を目標値に電気的にフィードバック制御する。したがって、形状記憶合金にてなる感温体ばね８１のヒステリシスや水圧変動および流量変更などによる温度偏差は、電気的フィードバック制御により補正される。
　【００６１】
　さらに、混合流体の全体流量を変更したい場合、図６において弁座位置調節手段８６により高温流体側弁座７７を回転すると弁座位置調節雄ねじ８７によって進退し、可動弁体７６と弁座７７との距離を可変でき、混合流体の流量を任意に調節できる。このように流量を変更したときも、上記した機械的なフィードバック作用および電気的フィードバック作用とにより、混合流体温度は電気的付勢力調節手段９９で設定された目標温度に自動的に保持されるように作用する。さらに、弁座位置調節手段８６によって弁座７７を移動することにより、全閉状態にできる。
　【００６２】
　つまり弁座位置調節手段８６の操作により、全開から全閉まで任意に流量を調節できるとともに、混合流体の温度は電気的付勢力調節手段９９によって設定された温度に常に保持されるように可動弁体７６が作動する。
　【００６３】
　以上のように本実施例によれば、１つの可動弁体７６と高温流体側弁座７７、低温流体側弁座７８、バイアスばね７９、感温体ばね８１、付勢力調節手段８２、弁座位置調節手段８６によって混合流体の温度設定ならびに自動温度調節および流量調節ができるように作用するとともに、可動弁体７６と高温流体側弁座７７との隙間から流入した高温流体と、可動弁体７６と低温流体側弁座７８との隙間から流入した低温流体とが混合され、その混合流体が感温体ばね８１に接触しながら通過し、混合温度が感温体ばね８１に熱伝達され機械的にフィードバック制御され、電子制御手段９８は温度検出手段９６によって検出された混合流体温度と、温度設定手段９７により設定された目標値とに基づいて電気的付勢力調節手段９９を駆動し、混合流体温度を目標値に電気的にフィードバック制御する。したがって、感温体ばね８１のヒステリシスや流体圧力変動および弁座位置調節手段８６による流量変更などによって温度偏差が瞬間的に生じても、電気的フィードバック制御により温度補正される。
　【００６４】
　第五の実施例によるとさらに、電気的付勢力調節手段９９は手動駆動部１００を備えた構成で、停電時や電子制御手段９８やモータ９９等の故障時にも手動駆動部１００により混合温度の設定点を変更でき、混合温度自動調節機能と総合流量調節機能を失うことなく使用できる。
　【００６５】
　第六の実施例によるとさらに、電気的付勢力調節手段９９はモータを手動駆動部１００を兼ねる樹脂で覆った防湿手段１０１を備え、モータを電気的に駆動するか手動駆動部１００を人力で駆動するかのいずれによっても可動弁体７６のばね付勢力を可変する手動電気両用駆動手段１０２を備えた構成で、停電時および電子制御手段９８やモータ９９等の故障時にも手動駆動部１００により混合温度の設定点を変更でき、混合温度自動調節機能と総合流量調節機能を失うことなく使用できるとともに、湿気の多い場所での使用が可能な混合温度制御装置を提供できる。
　【００６６】
　【発明の効果】
　以上詳述したように本発明の混合温度制御装置は、高温流体と低温流体の混合比を調節する可動弁体と、その可動弁体と対向して設けた高温流体側弁座および低温流体側弁座と、混合流体の温度上昇に伴い高温流体の割合を減少させる方向に可動弁体を付勢する感温体ばねと、それとは反対方向に付勢するバイアスばねと、前記二つのばねの少なくとも一方の付勢力を可変し混合温度を調節する付勢力調節手段と、前記二つの弁座の
うち高温流体側の弁座
備えるとともに、前記可動弁体は前記感温体ばねと前記バイアスばねとの付勢力の釣り合いによって作動する
　【００６７】
　また本発明の混合温度制御装置は、可動弁体と対向して設けた高温流体側弁座および低温流体側弁座と、混合流体の温度上昇に伴い高温流体の割合を減少させる方向に可動弁体を付勢する感温体ばねと、反対方向に付勢するバイアスばねと、前記二つのばねの少なくとも一方の付勢力を可変し混合温度を調節する付勢力調節手段と、感温体ばねのせん断ひずみγを規制するせん断ひずみ規制手段と、前記二つの弁座の
うち高温流体側の弁座
備えるとともに、前記可動弁体は前記感温体ばねと前記バイアスばねとの付勢力の釣り合いによって作動する
長年にわたり変わらない性能で自動温度調節ができる。
　【００６８】
　また本発明の混合温度制御装置は、可動弁体とそれぞれ対向して設けた高温流体側弁座および低温流体側弁座と、保存・使用温度範囲においてＲ（Ｒｈｏｍｂｏｈｅｄｒａｌ）相ないし母相の相変態をする形状記憶合金からなり、混合流体の温度上昇に伴い高温流体の割合を減少させる方向に可動弁体を付勢する感温体ばねと、反対方向に付勢するバイアスばねと、前記二つのばねの少なくとも一方の付勢力を可変し混合温度を調節する付勢力調節手段と、二つの弁座の
うち高温流体側の弁座
備えるとともに、前記可動弁体は前記感温体ばねと前記バイアスばねとの付勢力の釣り合いによって作動す
できるとともに、ヒステリシスが小さい混合温度制御装置を提供できる。
　【００６９】
　また本発明の混合温度制御装置は、可動弁体とそれぞれ対向して設けた高温流体側弁座および低温流体側弁座と、混合流体の温度上昇に伴い高温流体の割合を減少させる方向に可動弁体を付勢する感温体ばねと、反対方向に付勢するバイアスばねと、前記二つのばねの少なくとも一方の付勢力を可変し混合温度を調節する電気的付勢力調節手段と、前記二つの弁座の少なくとも一方の弁座位置を可変し流量を調節する弁座位置調節手段と、混合流体の温度を検出する温度検出手段と、混合流体温度の目標値を設定する温度設定手段と、温度検出手段により検出された温度と前記温度設定手段により設定された目標値とに基づいて電気的付勢力調節手段を制御する電子制御手段を設けた構成なので、一つの弁体で流体の混合温度自動調節機能と総合流量調節機能を有するとともに、流体圧力変動や流量変更などによる温度ズレのない優れた温度制御機能を有する混合温度制御装置を提供できる。
　【００７０】
　また本発明の混合温度制御装置は、可動弁体とそれぞれ対向して設けた高温流体側弁座および低温流体側弁座と、混合流体の温度上昇に伴い高温流体の割合を減少させる方向に前記可動弁体を付勢する感温体ばねと、反対方向に付勢するバイアスばねと、前記二つのばねの少なくとも一方の付勢力を可変し混合温度を調節する手動駆動部を備えた電気的付勢力調節手段と、前記二つの弁座の少なくとも一方の弁座位置を可変し流量を調節する弁座位置調節手段と、混合流体の温度を検出する温度検出手段と、混合流体温度の目標値を設定する温度設定手段と、温度検出手段により検出された温度と温度設定手段により設定された目標値とに基づいて電気的付勢力調節手段を制御する電子制御手段を設けた構成なので、一つの弁体で流体の混合温度自動調節機能と総合流量調節機能を有し、水圧変動や設定温度変更などによる温度ズレのない優れた温度制御機能を有するとともに、停電時および電子制御手段等の故障時にも手動で使用可能な混合温度制御装置を提供できる。
　【００７１】
　また本発明の混合温度制御装置は、可動弁体とそれぞれ対向して設けた高温流体側弁座および低温流体側弁座と、混合流体の温度上昇に伴い高温流体の割合を減少させる方向に可動弁体を付勢する感温体ばねと、反対方向に付勢するバイアスばねと、前記二つのばねの少なくとも一方の付勢力を可変し混合温度を調節する手動駆動部を備えた電気的付勢力調節手段と、前記二つの弁座の少なくとも一方の弁座位置を可変し前記流体の流量を調節する弁座位置調節手段と、混合流体の温度を検出する温度検出手段と、混合流体温度の目標値を設定する温度設定手段と、温度検出手段により検出された温度と温度設定手段により設定された目標値とに基づいて電気的付勢力調節手段を制御する電子制御手段を備え、電気的付勢力調節手段は、モータを手動駆動部を兼ねる樹脂で覆った防湿手段を備え、モータを電気的に駆動するか手動駆動部を人力で駆動するかのいずれによっても可動弁体のばね付勢力を可変する手動電気両用駆動手段を設けた構成なので、一つの弁体で流体の混合温度自動調節機能と総合流量調節機能を有し、湿気の多い場所で使用でき、停電時および電子制御手段等の故障時にも手動で使用可能な混合温度制御装置を提供できる。
【図面の簡単な説明】
　【図１】
　本発明の第一の実施例を示す混合温度制御装置の構成図
　【図２】
　同混合温度制御装置の弁閉止状態を示す構成断面図
　【図３】
　本発明の第二の実施例を示す混合温度制御装置の感温体ばねとバイアスばねの各変位と温度における発生付勢力の特性図
　【図４】
　本発明の第三の実施例を示す混合温度制御装置の感温体ばねの特性図
　【図５】
　本発明の第四の実施例を示す混合温度制御装置の構成図
　【図６】
　本発明の第五および第六の実施例を示す混合温度制御装置の構成図
　【図７】
　従来の混合温度制御装置の構成図
　【符号の説明】
　７６　可動弁体
　７７　高温流体側弁座
　７８　低温流体側弁座
　７９　バイアスばね
　８１　感温体ばね
　８２　付勢力調節手段
　８６　弁座位置調節手段
　９４　せん断ひずみ規制手段
　９５　電気的付勢力調節手段
　９６　温度検出手段
　９７　温度設定手段
　９８　電子制御手段
　９９　電気的付勢力調節手段
　１００　手動駆動部
　１０１　防湿手段
　１０２　手動電気両用駆動手段